(57)【要約】【課題】光ディスク記録再生装置ごとの再生互換性を保つことができ、良好な再生信号品質を得ることができるようにする。【解決手段】一枚の光ディスクに記録を行った光ディスク記録再生装置ごとに、光ディスク記録再生装置により記録された領域のアドレスの範囲を記録するアドレス情報（１４ａ、１４ｂ、１４ｃ）と、アドレス情報の範囲に記録されているデータを再生するために最適な再生信号品質を得るための再生信号処理条件を記録した再生信号処理条件情報（１５ａ、１５ｂ、１５ｃ）とを光ディスク（１）に記録しておく【選択図】図１
2007265551.tif 000002
【特許請求の範囲】
【請求項１】
ディジタル情報を記録した光ディスクにおいて、
前記光ディスクに記録を行った光ディスク記録再生装置ごとに、
前記光ディスク記録再生装置により記録された領域のアドレスの範囲を記録するアドレス情報と、
前記アドレス情報の範囲に記録されているデータを再生するために最適な再生信号処理条件を記録した再生信号処理条件情報と
を保持していることを特徴とする光ディスク。
【請求項２】
前記再生信号処理条件情報は、前記光ディスク記録再生装置の記録特性を決定する際に同時に決められる情報であることを特徴とする請求項１に記載の光ディスク。
【請求項３】
前記再生信号処理条件情報は、波形等化を行う際のタップ係数であることを特徴とする請求項２に記載の光ディスク。
【請求項４】
前記再生信号処理条件情報は、波形等化を行う際のタップ数であることを特徴とする請求項２に記載の光ディスク。
【請求項５】
前記再生信号処理条件情報は、波形等化を行う際に用いる等化器の種類であることを特徴とする請求項２に記載の光ディスク。
【請求項６】
前記再生信号処理条件情報は、波形等化を行う際に用いる等化器のフィルタ次数であることを特徴とする請求項２に記載の光ディスク。
【請求項７】
前記光ディスクが、複数の線密度を有する領域からなるものであって、
前記再生信号処理条件情報と前記アドレス情報は、前記複数の線密度を有する領域のうち、最も低い線密度を有する領域に記録される
ことを特徴とする請求項１乃至６のいずれかに記載の光ディスク。
【請求項８】
前記光ディスクが、再生専用領域と、書換え可能領域又は追記可能領域とからなるものであって、
前記再生信号処理条件情報と前記アドレス情報は、前記書き換え可能領域又は追記可能領域に記録される
ことを特徴とする請求項１乃至７のいずれかに記載の光ディスク。
【請求項９】
請求項１乃至８のいずれかに記載の光ディスクを記録再生する光ディスク記録再生装置であって、
前記光ディスクに前記アドレス情報と前記再生信号処理条件情報とを記録する手段を備えることを特徴とする光ディスク記録再生装置。
【請求項１０】
請求項１乃至８のいずれかに記載の光ディスクを記録再生する光ディスク記録再生装置であって、
前記アドレス情報と前記再生信号処理条件情報とを抽出する手段と、
前記抽出されたアドレス情報と再生信号処理条件情報を保持する手段と、
前記光ディスクに記録されているデータを再生する手段と、
前記保持する手段に保持された前記アドレス情報に記録されているアドレスの範囲に記録されているデータを前記再生する手段で再生する際、前記保持する手段に保持された前記アドレス情報に対応する前記再生信号処理条件情報を設定し、設定した条件によって前記光ディスクの再生を行わせる手段と
を備えることを特徴とする光ディスク記録再生装置。
【請求項１１】
請求項１乃至８のいずれかに記載の光ディスクを記録再生する光ディスク記録再生方法であって、
前記光ディスクに前記アドレス情報と前記再生信号処理条件情報とを記録する工程を備えることを特徴とする光ディスク記録再生方法。
【請求項１２】
請求項１乃至８のいずれかに記載の光ディスクを記録再生する光ディスク記録再生方法であって、
前記アドレス情報と前記再生信号処理条件情報とを抽出する工程と、
前記抽出されたアドレス情報と再生信号処理条件情報を保持する工程とを備え、
前記アドレス情報に記録されているアドレスの範囲に記録されているデータを再生する際、前記アドレス情報に対応する前記再生信号処理条件情報を設定し、設定した条件によって前記光ディスクの再生を行う
ことを特徴とする光ディスク記録再生方法。
【発明の詳細な説明】
【技術分野】
【０００１】
本発明は、デジタルデータを記録再生する光ディスク、並びに、この光ディスクに記録されている情報に従って動作する光ディスク記録再生装置及び光ディスク記録再生方法に関するものである。
【背景技術】
【０００２】
従来の技術として、パーシャルレスポンスによる波形等化を行い、最尤復号を用いて再生を行う際に、光ディスクごとに波形等化を行うための等化フィルタの係数、あるいは最尤復号を行うアルゴリズムを光ディスクに記録しておくものが知られている（例えば、特許文献１）。
【０００３】
また、そのような光ディスクに記録されたデータを再生する際に、パーシャルレスポンスによる波形等化を行い、最尤復号を用いて再生を行う光ディスク記録再生装置として、光ディスクに記録された等化フィルタの係数、あるいは最尤復号を行うアルゴリズムを用いて全体を再生するものがある（例えば、特許文献１）。
【０００４】
【特許文献１】特開平０７−２８７９３７号公報
【発明の開示】
【発明が解決しようとする課題】
【０００５】
一枚の光ディスクの異なる領域に、異なる光ディスク記録再生装置で記録を行う場合、記録を行う光ディスクの製造メーカや種類によって光ディスク記録再生装置ごとにライトストラテジなどの記録特性が異なり、そのため、記録を行った領域ごとに異なる記録特性で記録が行われる。
【０００６】
また、光ディスクのさらなる高密度化が進むと再生信号品質が劣化するため、劣化を防止するために再生信号処理条件を考慮に入れた上で記録特性を決定することがある。つまり、再生信号処理条件を設定して再生信号処理を行った再生信号に対して、その再生信号の再生信号品質が最適となるような記録特性を採用することになる可能性がある。ここで、再生信号処理条件とは再生信号に対して波形等化を行う波形等化器の構成要素に関するパラメータなどを指している。
【０００７】
そのような光ディスクを再生し、全記録再生領域に対して最適な再生信号品質を得るためには、それぞれの記録特性に対して、最適な再生信号品質を引き出すことができる再生信号処理条件がそれぞれ分かっていることが必要である。そのためには、記録特性に関するパラメータと再生信号処理条件との組み合わせを光ディスク記録再生装置が保持しておく必要がある。
逆に、それぞれの記録特性に対して、最適な再生信号品質を引き出すことができる再生信号処理条件を保持していないと、同じ一枚の光ディスクであっても、記録再生領域ごとの再生互換性が取れなくなってしまう。
【０００８】
このように、複数の光ディスク記録再生装置で記録を行った一枚の光ディスクを再生する場合、再生記録領域ごとにその領域を記録した光ディスク記録再生装置の記録特性に対して、最適な再生信号品質を引き出すことができる再生信号処理条件で再生を行うことが必要となる。
【０００９】
しかし、上記の従来技術においては光ディスクごとに光ディスクを再生する際に用いる等化フィルタの係数や最尤復号を行うアルゴリズムなどの再生信号処理条件を記録しているが、光ディスク内の再生記録領域ごとには再生信号処理条件は記録されておらず、記録特性と対応が取れたものにはなっていない。そのため、記録を行った光ディスク記録再生装置ごとの記録特性の違いには対応できず、正しい再生信号処理ができなくなり、読み出しデータエラーが増える可能性がある。
【００１０】
そこで、本発明は、上述のような課題を解消するためになされたもので、その目的は、複数の光ディスク記録再生装置で記録を行った一枚の光ディスクを再生する場合でも再生記録領域ごとにその領域を記録した光ディスク記録再生装置の記録特性に対して、最適な再生信号品質を引き出すことができる再生信号処理条件で再生を行うことで、記録再生領域ごとの再生互換性を保つことができ、良好な再生信号品質を得ることができるようにすることである。
【課題を解決するための手段】
【００１１】
この発明は、
ディジタル情報を記録した光ディスクにおいて、
前記光ディスクに記録を行った光ディスク記録再生装置ごとに、
前記光ディスク記録再生装置により記録された領域のアドレスの範囲を記録するアドレス情報と、
前記アドレス情報の範囲に記録されているデータを再生するために最適な再生信号処理条件を記録した再生信号処理条件情報と
を保持していることを特徴とする光ディスクを提供する。
【発明の効果】
【００１２】
この発明によれば、複数の光ディスク記録再生装置で記録を行った一枚の光ディスクを再生する場合でも再生記録領域ごとにその領域を記録した光ディスク記録再生装置の記録特性に対して、最適な再生信号品質を引き出すことができる再生信号処理条件で再生を行うことで、光ディスク記録再生装置ごとの再生互換性を保つことができ、良好な再生信号品質を得ることができる。
【発明を実施するための最良の形態】
【００１３】
実施の形態１．
以下、本発明の実施の形態について図面を参照しながら説明する。図１は、本実施の形態における光ディスク１の記録領域フォーマットを示す図である。図１（a）に示すように、光ディスク１は内周側から外周側に、光ディスク１の製造終了後の情報が記録されるＢＣＡ（Ｂｕｒｓｔ  Ｃｕｔｔｉｎｇ  Ａｒｅａ）領域１０、光ディスク１の物理的特性情報が記録されるリードイン領域１１、コンテンツデータ本体が記録されるユーザデータ領域１２、及び、リードイン領域１１と同様の内容が記録されるリードアウト領域１３から構成される。光ディスク１は、光ディスク駆動装置によって内周側から順に再生される。
【００１４】
図１（ｂ）は３台の光ディスク記録再生装置Ａ，Ｂ，Ｃによりユーザデータ領域１２に記録を行った場合の記録フォーマットを示している。ここで、光ディスク記録再生装置ＡはユーザデータＡ１６ａに、光ディスク記録再生装置ＢはユーザデータＢ１６ｂに、光ディスク記録再生装置ＣはユーザデータＣ１６ｃにそれぞれ記録を行ったとする。その場合、アドレス情報Ａ１４ａ、アドレス情報Ｂ１４ｂ、アドレス情報Ｃ１４ｃは光ディスク記録再生装置Ａ、Ｂ、Ｃが記録を行ったユーザデータ領域１２内のユーザデータＡ１６ａ、ユーザデータＢ１６ｂ、ユーザデータＣ１６ｃのアドレス範囲を示す。また、再生信号処理条件情報Ａ１５ａ、再生信号処理条件情報Ｂ１５ｂ、再生信号処理条件情報Ｃ１５ｃは、アドレス情報Ａ１４ａ、アドレス情報Ｂ１４ｂ、アドレス情報Ｃ１４ｃに対応するアドレスのユーザデータ領域を再生する場合に用いるためのものであり、記録を行った光ディスク記録再生装置の記録特性に合わせた再生信号処理の設定を示す情報が記録されている。
【００１５】
ここで、再生信号処理条件情報１５ａ〜１５ｃについてより詳しく説明する。
光ディスク記録再生装置が記録を行う場合に用いる記録特性は光ディスク記録再生装置ごとに異なり、光ディスクの製造メーカや種類によっても異なる。また、高密度化が進めば、再生信号品質は劣化するため、そのような高密度な光ディスクを光ディスク記録再生装置で記録再生するためには、その光ディスク記録再生装置の記録特性と再生信号処理条件のパラメータを、再生信号品質が最適になるように設定された記録特性のパラメータと再生信号処理条件との組み合わせを光ディスク記録再生装置が保持しておく必要がある。
【００１６】
例えば、光ディスク記録再生装置Ａが光ディスク１に、光ディスク１の製造メーカや種類や記録密度から最適な再生信号品質が得られる再生信号処理条件と記録特性の組み合わせの記録特性を用いて記録を行ったとする。その光ディスク１を光ディスク記録再生装置Ａとは別の光ディスク記録再生装置Ｂで再生すると、光ディスク記録再生装置Ｂは、光ディスク記録再生装置Ａが記録を行った光ディスク１から最適な再生信号品質が得られる再生信号処理条件が分からないため、自身が持っている再生信号処理条件で再生を行う。そうすると、光ディスク記録再生装置Ａが保持している記録特性と再生信号処理条件の組み合わせとは合致しない再生信号処理条件で再生を行ってしまい、最適な再生信号品質を得ることができない。
そのため、光ディスク１に記録を行った光ディスク記録再生装置Ａは、再生信号品質が最適となる記録特性と再生信号処理条件の組み合わせを内部で持っており、記録を行った記録特性に対応する再生信号処理条件を再生信号処理条件情報１５ａ〜１５ｃとして光ディスク１に記録しておく必要がある。
【００１７】
また、光ディスク１に複数の光ディスク記録装置で記録を行った場合、光ディスク１を再生する際には、記録を行った領域ごとに再生信号処理条件を変えて再生する必要があるため、互いに異なる再生信号処理条件を用いるべき領域を区別するために再生信号処理条件情報１５ａ〜１５ｃに対応したアドレス情報１４ａ〜１４ｃも記録しておく必要がある。
【００１８】
次に、アドレス情報、再生信号処理条件情報について、より具体的に説明する。
光ディスク記録再生装置Ａにより光ディスク１にユーザデータＡ１６ａが記録された場合、光ディスク記録再生装置ＡはユーザデータＡ１６ａのアドレス範囲をアドレス情報Ａ１４ａに記録する。また、光ディスク記録再生装置Ａが持っている記録特性に合わせた再生信号処理条件情報Ａ１５ａを記録する。ここで、前述したように再生信号処理条件は各光ディスク記録再生装置が保持しているものである。
【００１９】
光ディスク１に光ディスク記録再生装置ＢによりユーザデータＢ１６ｂが記録された場合は、同様に、アドレス情報Ｂ１４ｂと再生信号処理条件情報Ｂ１５ｂを記録する。光ディスク記録再生装置ＣによりユーザデータＣ１６ｃが記録された場合も同様である。このように、光ディスク１に記録を行った光ディスク記録再生装置ごとに、記録を行ったユーザデータについてのアドレス情報と再生信号処理条件情報を記録する。
【００２０】
ここで、再生信号処理条件情報Ａ１５ａ、再生信号処理条件情報Ｂ１５ｂ、再生信号処理条件情報Ｃ１５ｃは、例えば、それぞれ、光ピックアップによって読み出されたＡ／Ｄ変換後のディジタル再生ＲＦ信号に対して波形等化を行う際の波形等化器に用いるデジタルフィルタのタップ係数Ａ１７ａ、タップ係数Ｂ１７ｂ、タップ係数Ｃ１７ｃが記録されているものである。これらのタップ係数は、それぞれ、光ディスク記録再生装置Ａ、Ｂ、Ｃの記録特性により記録されたデータを再生する際に最適な再生ＲＦ信号を得ることができるタップ係数となっている。
光ディスク１を再生する光ディスク記録再生装置がアドレス情報Ａ１４ａの範囲内であるユーザデータＡ１６ａを再生するためには、アドレス情報Ａ１４ａに対応した再生信号処理条件情報Ａ１５ａであるタップ係数Ａ１７ａを波形等化器に用いるデジタルフィルタに設定して再生を行う。ユーザデータＢ１６ｂ、ユーザデータＣ１６ｃを再生する場合も同様にして再生を行う。
【００２１】
本実施の形態では、アドレス情報Ａ１４ａ、アドレス情報Ｂ１４ｂ、アドレス情報Ｃ１４ｃと再生信号処理条件情報Ａ１５ａ、再生信号処理条件情報Ｂ１５ｂ、再生信号処理条件情報Ｃ１５ｃはリードイン領域１１に記録されているとしたが、リードアウト領域１３でもよいし、書き換え可能な領域あるいは追記可能な領域でユーザデータ領域１２に比べて低密度な領域であればよい。ユーザデータ領域１２に比べて低密度な書き換え可能領域、或いは追記可能領域が無い場合は、ディスクの回転周波数はそのままで記録クロックを例えば分周により低くして仮想的な低密度領域を生成した領域であってもよい。また、再生信号処理条件情報Ａ１５ａ、再生信号処理条件情報Ｂ１５ｂ、再生信号処理条件情報Ｃ１５ｃは波形等化器に用いるデジタルフィルタのタップ係数であるとしたが、波形等化器に用いるデジタルフィルタのタップ数、次数、種類などであってもよいし、そのうちのいくつかを組み合わせたものであってもよい。
【００２２】
本実施の形態によって、複数の光ディスク記録再生装置で記録を行った一枚の光ディスクを再生する場合でも再生記録領域ごとにその領域を記録した光ディスク記録再生装置の記録特性に対して、最適な再生信号品質を引き出すことができる再生信号処理条件で再生を行うことで、光ディスク記録再生装置ごとの再生互換性を保つことができ、良好な再生信号品質を得ることができる。
【００２３】
実施の形態２．
図２は、実施の形態１の光ディスク１に対応する光ディスク駆動装置２０の構成ブロック図を示す。
図２に示すように、再生時、光ディスク１は、光ピックアップ（ＰＵ）２２によって読み出され、ＲＦ信号処理部２５において波形等化される。そして、ＲＦ信号処理部２５から出力される再生ＲＦ信号は２値化部２６へ、また、サーボ制御に使用可能なトラッキングエラー信号やフォーカスエラー信号などの信号を生成してサーボプロセッサ３３にも、供給される。
【００２４】
サーボプロセッサ３３は、ＲＦ信号処理部２５から供給されるトラッキングエラー信号やフォーカスエラー信号に応じて、フォーカスドライブ信号やトラッキングドライブ信号を生成し、２軸ドライバ３５に供給する。２軸ドライバ３５では光ＰＵ２２内のフォーカスコイル、トラッキングコイルを駆動し、フォーカス及びトラッキングの制御が行われる。
【００２５】
所望のアドレスへのアクセス（シーク）時には、システムコントローラ３２からの制御信号に基づいてサーボプロセッサ３３がスレッドドライバ３４を制御してスレッド２３を駆動することで光ＰＵ２２をスライド移動させる。
なお、システムコントローラ３２は例えばプログラムされたコンピュータにより構成されるものであり、図示しないプログラムメモリとＣＰＵとを備えている。
【００２６】
次に、光ディスク記録再生装置２０における記録時の動作について説明する。光ディスク１は、スピンドルモータ（ＳＰＭ）ドライバ３６からの制御信号に従い、スピンドルモータ２４を駆動することで一定速度又は一定角速度で回転するよう制御される。まずはＢＣＡ領域１０、リードイン領域１１に光ＰＵ２２を移動させ、記録を行う光ディスク１のディスク情報などを再生する。次に、システムコントローラ３２からの制御信号により記録を行う所望のアドレスへ光ＰＵ２２を移動させる。また、図２に図示していないホストからＩ／Ｆ２９を介して送られてきた記録データがエンコード／デコード部２７に供給され、バッファメモリ２８を介して誤り訂正用のパリティビット、インターリーブ等の信号処理を行い、エンコードが行われる。エンコードが行われた信号を用いて、自動レーザパワー制御部（ＡＬＰＣ）３１が、所定の記録レーザパワーにより光ＰＵ２２から光ディスク１の所望のアドレスに記録する。ここで、システムコントローラ３２は、システムコントローラ３２内にあるメモリ４２などの記憶手段に実施の形態１で述べたような再生信号品質が最適となる記録特性と再生信号処理条件の組み合わせを持っており（即ち、記録特性とそれに対応する再生信号処理条件を記憶しており）、記録時に、リードイン領域を再生した際に読み出した記録を行う光ディスクの製造メーカや種類や記録密度に関する情報（ディスクから読み出した情報）によって記録を行う記録特性を選択して使用し、選択した記録特性に合わせてＡＬＰＣ３１を制御し、光ＰＵ２２による記録がなされる。ここでは、記録データが光ディスク記録再生装置２０と同じ構造を持つ光ディスク記録再生装置Ｃにより、ユーザデータＣ１６ｃに記録されたとする。
【００２７】
メモリ４２に記憶されている、記録特性とそれに対応する再生信号処理条件情報の例を表１に示す。
【００２８】
【表１】
2007265551.tif 000003
【００２９】
このようにして光ディスク１のユーザデータ領域１２内の所望のアドレスに記録データを記録すると、リードイン領域１１へ光ＰＵ２２を移動させる。光ＰＵ２２は、リードイン領域のアドレス情報と再生信号処理条件情報が記録されている領域のうち、何も記録されていないリザーブ領域に、記録したユーザデータＣのアドレス範囲をアドレス情報Ｃ１４ｃとして、また、光ディスク記録再生装置Ｃが記録を行った際に用いた記録特性に対応した再生信号処理条件（表１に示される、メモリ４２に記憶された再生信号処理条件情報Ｓ１〜ＳＮのうちの選択されたもの）を再生信号処理条件情報Ｃ１５ｃとして記録する。ここでは再生信号処理条件情報Ｃ１５ｃはＲＦ信号処理部２５内の波形等化器に用いられるデジタルフィルタのタップ係数Ｃ１７ｃであり、光ディスク記録再生装置Ｃの記録特性により記録されたデータを再生する際に、最適な再生信号品質を得ることができるタップ係数となっている。
【００３０】
上記の例では、アドレス情報Ｃ１４ｃと再生信号処理条件情報Ｃ１５ｃであるタップ係数Ｃ１７ｃを記録する領域としてリードイン領域１１としたが、リードアウト領域１３でもよいし、書き換え可能な領域あるいは追記可能な領域でユーザデータ領域１２に比べて低密度な領域（より確実に読み出しが行える領域、言い換えれば読み出し誤りの少ない領域）であればよい。ユーザデータ領域１２に比べて低密度な書き換え可能領域、或いは追記可能領域が無い場合は、ディスクの回転周波数はそのままで記録クロックを例えば分周により低くして仮想的な低密度領域を生成した領域であってもよい。
【００３１】
次に、光ディスク記録再生装置Ｃにより前述のように記録された光ディスク１を、光ディスク記録再生装置Ｃではない他の光ディスク記録再生装置２０により再生する場合の動作について説明する。光ディスク１は、記録時と同様にスピンドルモータ（ＳＰＭ）ドライバ３６からの制御信号に従い、スピンドルモータ２４を駆動することで一定線速度又は一定角速度で回転するよう制御される。また、システムコントローラ３２からのレーザ制御信号に応じて、ＡＬＰＣ３１が、所定の再生レーザパワーによる光ＰＵ２２からの読み出しを行う。
【００３２】
光ＰＵ２２から読み出された再生ＲＦ信号はＲＦ信号処理部２５に供給され、波形等化などの信号処理が行われる。次に、ＲＦ信号処理部２５で波形等化された再生ＲＦ信号は、２値化部２６でディジタル化され、変調信号としてエンコード／デコード部２７に供給される。エンコード／デコード部２７は、再生時のデコーダとしての機能部位と、記録時のエンコーダとしての機能部位を備える。再生時には、復調され、バッファメモリ２８を介してエラー訂正、デインターリーブ等の信号処理を行い、変調信号のデコードを行う。デコードが行われた信号は、ＡＴＡＰＩなどのＩ／Ｆ２９を介して図２には図示していないホストへ出力される。
【００３３】
次に、より具体的に光ディスク記録再生装置２０における再生動作を説明する。
まず、光ディスク記録再生装置２０に光ディスク１を挿入し、電源が入れられると、光ディスク１の内周から順にアクセスしていき、リードイン領域１１の所定のアドレスまでのアクセスが行われたら、エンコード／デコード部２７はバッファメモリ２８に対してデータのバッファリングを開始し、再生された情報に対してエラー訂正、デインターリーブ処理が行われる。
【００３４】
エラー訂正の結果、正しく再生できたリードイン領域１１の情報から、エンコード／デコード部２７は、アドレス情報Ａ１４ａ、アドレス情報Ｂ１４ｂ、アドレス情報Ｃ１４ｃをアドレス情報抽出手段３７により、また、再生信号処理条件情報Ａ１５ａ、再生信号処理条件情報Ｂ１５ｂ、再生信号処理条件情報Ｃ１５ｃを再生信号処理条件情報抽出手段３８によって抽出し、システムコントローラ３２に出力する。システムコントローラ３２においては、アドレス情報保持手段３９と再生信号処理条件情報保持手段４０によって、抽出されたアドレス情報Ａ１４ａ、アドレス情報Ｂ１４ｂ、アドレス情報Ｃ１４ｃ、及び再生信号処理条件情報Ａ１５ａ、再生信号処理条件情報Ｂ１５ｂ、再生信号処理条件情報Ｃ１５ｃの保持がそれぞれ行われる。
【００３５】
次に、ユーザデータ領域１２の再生を行う。
ここではユーザデータ領域１２のうち、ユーザデータＣ１６ｃを再生する場合について説明する。
まず、ユーザデータＣ１６ｃが記録されている領域へ光ＰＵ２２をアクセス（シーク）させるため、システムコントローラ３２は、サーボプロセッサ３３にユーザデータＣ１６ｃが記録されているアドレスに光ＰＵ２２を移動させるための制御信号を送る。サーボプロセッサ３３は、システムコントローラ３２からの制御信号に基づいてスレッドドライバ３４を制御してスレッド２３を駆動させ、光ＰＵ２２を移動させる。
【００３６】
光ＰＵ２２がユーザデータＣ１６ｃの記録されているアドレスに移動すると、システムコントローラ３２は、アドレス情報保持手段３９を参照し、ユーザデータＣ１６ｃの記録されているアドレスが含まれているアドレス情報を順次比較していくことでアドレス情報Ｃ１４ｃを選択する。そして、選択されたアドレス情報Ｃ１４ｃに対応する再生信号処理条件情報Ｃ１５ｃである信号ＲＦ信号処理部２５内の波形等化器に用いているデジタルフィルタのタップ係数Ｃ１７ｃをＲＦ信号処理部２５に出力する。
ＲＦ信号処理部２５内の波形等化器に用いているデジタルフィルタのタップ係数はシステムコントローラ３２によって設定可能となっているため、システムコントローラ３２から出力されたタップ係数Ｃ１７ｃをＲＦ信号処理部２５内の波形等化器に用いているデジタルフィルタのフィルタ係数に設定する。
【００３７】
このようにして、ＲＦ信号処理部２５では、システムコントローラ３２によって設定したタップ係数Ｃ１７ｃを初期値として光ＰＵ２２により読み出されたユーザデータＣ１６ｃに対して波形等化が行われる。なお、光ディスク記録再生装置Ａにより記録されたユーザデータＡ１６ａと、光ディスク記録再生装置Ｂにより記録されたユーザデータＢ１６ｂを、光ディスク記録再生装置Ａ、Ｂではない他の光ディスク記録再生装置で再生する場合も同様である。
【００３８】
本実施の形態では、再生信号処理条件情報保持手段４０に保持される再生信号処理条件情報の内容として、ＲＦ信号処理部２５内にある波形等化器に用いるデジタルフィルタのタップ係数としたが、再生信号処理条件情報の内容は波形等化器に用いるデジタルフィルタのタップ数、次数、種類などであってもよい。
【００３９】
本実施の形態によって、複数の光ディスク記録再生装置で記録を行った一枚の光ディスクを再生する場合でも再生記録領域ごとにその領域を記録した光ディスク記録再生装置の記録特性に対して、最適な再生信号品質を引き出すことができる再生信号処理条件で再生を行うことで、光ディスク記録再生装置ごとの再生互換性を保つことができ、良好な再生信号品質を得ることができる。
【００４０】
実施の形態３．
実施の形態１の光ディスク１が光ディスク記録再生装置２０に装填された場合の動作フロー（処理手順）を説明する。
まず、光ディスク記録再生装置２０が光ディスク１に対して記録を行う場合の動作フローについて図３を用いて説明する。この動作は、主として、システムコントローラ３２による制御の下で行われる。
光ディスク記録再生装置２０に光ディスク１が装填されると、そのことが図示しない検出手段により検出されて、光ディスク記録再生装置２０のシステムコントローラ３２は、サーボプロセッサ３３を制御して、リードイン領域１１にアクセスし、ホストからのコマンド等によらず（システムコントローラ３２の制御の下で）自動的に光ディスク１上の種々の情報を取得しながら各種の調整を行う、一連の起動動作シーケンスを実行する（ＳＴ１）。
【００４１】
ステップＳＴ１で取得した光ディスク１の種々の情報から光ディスク１に記録を行う際の記録特性を選択可能かどうか（即ち、予めメモリ４２内に記憶されている記録特性のいずれかを使用し得るか）を判断する（ＳＴ２）。記録特性を選択可能な場合は、光ＰＵ２２を記録を行うユーザデータ領域１２の所定アドレスへ移動させた後、選択した記録特性で記録を行う（ＳＴ３）。記録特性を選択できなかった場合は、光ＰＵ２２を記録を行うユーザデータ領域１２の所定アドレスへ移動させた後、予め光ディスク記録再生装置２０に設定しているデフォルトの記録特性で記録を行う（ＳＴ４）。
【００４２】
次に、ユーザデータ領域への記録が終了したかどうかを判断し（ＳＴ５）、ユーザデータ領域への記録がまだ終了していない場合は、引き続き記録の動作を繰り返す。ユーザデータ領域への記録が終了した場合は、光ＰＵ２２をリードイン領域へ移動させ（ＳＴ６）、記録を行ったユーザデータ領域のアドレスの範囲を示すアドレス情報１４と、予めシステムコントローラ３２内のメモリ４２に記憶されている記録特性のうち、記録を行った記録特性に対応した（対応付けて記憶されている）再生信号処理条件情報１５を光ディスク１のリードイン領域へ記録する（ＳＴ７）。
【００４３】
次に、光ディスク記録再生装置２０が光ディスク１に対して再生を行う場合の動作フローについて図４を用いて説明する。
光ディスク記録再生装置２０に光ディスク１が装填されると、そのことが図示しない検出手段により検出されて、光ディスク記録再生装置２０はリードイン領域１１にアクセスし、ホストからのコマンド等によらず（システムコントローラ３２の制御の下で）自動的に光ディスク１上の種々の情報を取得しながら各種の調整を行う、一連の起動動作シーケンスを実行する（ＳＴ１１）。
【００４４】
次に、再生を行ったリードイン領域１１のデータをバッファメモリ２８に保存し、アドレス情報１４と再生信号処理条件情報１５が光ディスク１に記録されているかどうかを判断する（ＳＴ１２）。アドレス情報１４と再生信号処理条件情報１５が光ディスク１に記録されていない場合は、光ディスク記録再生装置２０のＲＦ信号処理部２５の波形等化器に用いているデジタルフィルタのタップ係数に予め設定されている初期値を再生にそのまま用いる（ＳＴ１３）。アドレス情報１４と再生信号処理条件情報１５が光ディスク１に記録されている場合は、バッファメモリ２８に保存したリードイン領域１１のデータからアドレス情報１４と再生信号処理条件情報１５を抽出し、システムコントローラ３２内にあるアドレス情報保持手段３９及び再生信号処理条件保持手段４０で保持する（ＳＴ１４）。
【００４５】
その後、光ＰＵ２２をユーザデータ領域１２の再生を行う所望のアドレスへと移動させ（ＳＴ１５）、再生を行う所望のアドレスとシステムコントローラ３２内のアドレス情報保持手段３９に保持しているアドレス情報１４とを順次、照合していく（ＳＴ１６）。
再生を行う所望のアドレスに合致するアドレス情報１４があるかどうかを判断し（ＳＴ１７）、合致するまで再生を行う所望のアドレスとシステムコントローラ３２内のアドレス情報保持手段３９に保持しているアドレス情報１４との照合を繰り返す。
【００４６】
所望のアドレスに合致したら、合致したアドレス情報１４に対応した再生信号処理条件情報１５であるタップ係数１７をＲＦ信号処理部２５の波形等化器に用いているデジタルフィルタのタップ係数に設定し（ＳＴ１８）、ユーザデータ領域１２の再生を行う。
【００４７】
本実施の形態では、再生信号処理条件情報保持手段４０に保持される再生信号処理条件情報の内容として、ＲＦ信号処理部２５内にある波形等化器に用いるデジタルフィルタのタップ係数としたが、再生信号処理条件情報の内容は波形等化器に用いるデジタルフィルタのタップ数、次数、種類などであってもよい。
また、アドレス情報１４と再生信号処理条件情報１５であるタップ係数１７を記録する領域としてリードイン領域１１としたが、リードアウト領域１３でもよいし、書き換え可能な領域あるいは追記可能な領域でユーザデータ領域１２に比べて低密度な領域であればよい。ユーザデータ領域１２に比べて低密度な書き換え可能領域、或いは追記可能領域が無い場合は、ディスクの回転周波数はそのままで記録クロックを例えば分周により低くして仮想的な低密度領域を生成した領域であってもよい。
【００４８】
本実施の形態によって、複数の光ディスク記録再生装置で記録を行った一枚の光ディスクを再生する場合でも再生記録領域ごとにその領域を記録した光ディスク記録再生装置の記録特性に対して、最適な再生信号品質を引き出すことができる再生信号処理条件で再生を行うことで、光ディスク記録再生装置ごとの再生互換性を保つことができ、良好な再生信号品質を得ることができる。
【図面の簡単な説明】
【００４９】
【図１】実施の形態１における光ディスクの記録領域フォーマットを示す図である。
【図２】実施の形態２の光ディスク記録再生装置の構成ブロック図である。
【図３】実施の形態３における光ディスクが光ディスク駆動装置に装填された場合の記録動作を示す動作フローを示す図である。
【図４】実施の形態３における光ディスクが光ディスク駆動装置に装填された場合の再生動作を示す動作フローを示す図である。
【符号の説明】
【００５０】
１  光ディスク、  １０  ＢＣＡ、  １１  リードイン領域、  １２  ユーザデータ領域、  １３  リードアウト領域、  １４ａ〜１４ｃ  アドレス情報、  １５ａ〜１５ｃ  再生信号処理条件情報、  １６ａ〜１６ｃ  ユーザデータ、  １７ａ〜１７ｃ  タップ係数、  ２０  光ディスク記録再生装置、  ２２  光ＰＵ、  ２３  スレッド、  ２５  ＲＦ信号処理部、  ２６  ２値化部、  ２７  エンコード／デコード部、  ２８  バッファメモリ、  ２９  Ｉ／Ｆ、  ３１  自動レーザパワー制御部（ＡＬＰＣ）、  ３２  システムコントローラ、  ３３  サーボプロセッサ、  ３４  スレッドドライバ、  ３５  ２軸ドライバ、  ３６  ＳＰＭドライバ、  ３７  アドレス情報抽出手段、  ３８  再生信号処理条件情報抽出手段、  ３９  アドレス情報保持手段、  ４０  再生信号処理条件情報保持手段、  ４１  ＳＰＭ、  ４２  メモリ。
【図１】
2007265551.tif 000004
【図２】
2007265551.tif 000005
【図３】
2007265551.tif 000006
【図４】
2007265551.tif 000007